(57)【要約】電気掃除機の吸込具本体の意匠性を損なうことなく、空中に浮遊する塵埃の吸い込み性能を確保しながら、使用者の使い勝手がよい電気掃除機の吸込具を提供する。吸込具は、吸込具本体（２１）と、吸込具本体の下面側に設けられ、被清掃面上の塵埃を吸い込むための第１の吸込口（２５）と、吸込具本体に回動自在に連結された継手管（２２）と、を備え、継手管に、空中に浮遊する塵埃を吸い込むための第２の吸込口（３４）を設けた。当該構成によれば、電気掃除機の吸込具本体の意匠性を損なうことなく、空中に浮遊する塵埃の吸い込み性能を確保することができる。
2015118940.tif 000002
【特許請求の範囲】
【請求項１】
吸込具本体と、
該吸込具本体の下面側に設けられ、被清掃面上の塵埃を吸い込むための第１の吸込口と、
前記吸込具本体に回動自在に連結された継手管と、を備え、
前記継手管に、空中に浮遊する塵埃を吸い込むための第２の吸込口を設けたことを特徴とする電気掃除機の吸込具。
【請求項２】
前記継手管を前記吸込具本体に回動自在に連結するための回動部は、通気可能な中空構造で第１のケースと第２のケースから成り、前記第２の吸込口を、前記第１のケースあるいは前記第２のケースの何れか一方に設けたことを特徴とする請求項１に記載の電気掃除機の吸込具。
【請求項３】
前記第２の吸込口を、前記継手管の前記回動部を組み立てた状態で、前記第１のケースと前記第２のケースの端部が当接する箇所に設けたことを特徴とする請求項２に記載の電気掃除機の吸込具。
【請求項４】
前記継手管を前記吸込具本体に回動自在に連結するための回動部は、通気可能な中空構造で第１のケースと第２のケースから成り、前記第２の吸込口は、前記継手管の前記回動部を組み立てた状態で、前記第１のケースと前記第２のケースの端部が当接する箇所で、前記第１のケースと前記第２のケースそれぞれに設けられた切り欠き形状により形成されることを特徴とする請求項１に記載の電気掃除機の吸込具。
【請求項５】
前記継手管を前記吸込具本体に連結したとき、前記吸込具本体の上面と前記継手管の回動部は、所定の空間を確保して連結されていることを特徴とする請求項１から請求項４のいずれか１項に記載の電気掃除機の吸込具。
【請求項６】
前記吸込具本体は、前記第１の吸込口と連通する第１の風路及び第２の風路を備え、
前記第１の風路及び前記第２の風路は、前記継手管の前記回動部に設けられた通気可能な回動軸部とそれぞれ連通しており、前記第２の吸込口を、前記継手管の前記第１の風路及び前記第２の風路が合流する箇所の近傍に設けたことを特徴とする請求項２から請求項５のいずれか１項に記載の電気掃除機の吸込具。
【請求項７】
前記第２の吸込口は、前記継手管の前記回動部に設けられた前記回動軸部の近傍に設けたことを特徴とする請求項６に記載の電気掃除機の吸込具。
【請求項８】
塵埃を吸い込むための吸引風を発生させる電動送風機と、
前記塵埃を収容するための集塵部を設けた掃除機本体と、
前記掃除機本体に接続されたホース体と、
前記ホース体に連結された取り回しのための把持部と、
前記把持部近傍に設けられ、前記電動送風機の切入及び強弱を操作する操作部と、
前記把持部に接続された延長管と、を備え、
請求項１から請求項７のいずれか１項に記載の電気掃除機の吸込具を備えたことを特徴とする電気掃除機。
【発明の詳細な説明】
【技術分野】
【０００１】
本発明は電気掃除機の吸込具、詳しくは回動接続部を備えた吸込具に関し、さらにはこの吸込具を備えた電気掃除機に関する。
【背景技術】
【０００２】
電気掃除機の吸込具は、被清掃面と対向する吸込具本体の下面側に、塵埃を含む空気を吸い込むための吸込口が設けられている。この吸込口から、被清掃面上の塵埃含む空気を吸い込むことができるが、吸込具の移動によって小さい塵埃や軽い塵埃が空中に舞い上がることがあり、舞い上がった塵埃は再び被清掃面上に落ちて来なければ、吸込口から吸い込むことができない。【０００３】
そこで従来、吸込具本体の下面側に設けられた、被清掃面上の塵埃を吸い込むための（第１の）吸込口の他、吸込具本体の上面側に、被清掃面から舞い上がり空中に浮遊する塵埃を吸い込むための（第２の）吸込口を設けたものが提案されている（特許文献１及び２参照）。
【先行技術文献】
【特許文献】
【０００４】
【特許文献１】日本特開２０１１−０２４６１１号公報
【特許文献２】日本特開２０１０−０２２７４５号公報
【発明の概要】
【発明が解決しようとする課題】
【０００５】
特許文献１に記載の従来の電気掃除機の吸込具には、吸込具本体の上面側に第２の吸込口としてスリット状の開口が設けられている。これにより、清掃中に被清掃面から空中に舞い上がった塵埃、浮遊塵埃を吸い込むことができる。【０００６】
しかしながら、吸込具本体の上面は基本的に意匠面であるので、特許文献１に記載の従来の電気掃除機の吸込具のように、吸込具本体の上面側にスリット状の開口を設ける場合、意匠性を考慮して幅の狭いスリットにすると、十分な浮遊塵埃の吸込性能を確保できない、という課題があった。【０００７】
また、第２の吸込口を幅の広いスリットにすると、第２の吸込口と下面側に設けられた第１の吸込口との吸込みのバランスが悪くなることがあり、第１の吸込口の塵埃吸込み性能が低下する可能性があるという課題があり、幅の広いスリットにすることで意匠性を損なう、という課題もあった。【０００８】
対して、特許文献２に記載の電気掃除機の吸込具では、吸込具本体の上面側に第２の吸込口として、電動フラップを備えた空気取り入れ口が設けられている。状況に応じて電動フラップを開くことで、清掃中に被清掃面から空中に舞い上がった浮遊塵埃を吸い込むことができ、電気掃除機を使用していないときには、空気取り入れ口を電動フラップによって閉じることができるので意匠性を確保できる。【０００９】
しかしながら、電動フラップを動かすための電動機及び開閉のための構造が必要となるので、それらを収めるために吸込具本体の外形が大きくなったり、重量が重くなったりしてしまう。これらによって吸込具の取り回しが悪くなり、使用者の使い勝手が悪くなる、という課題があった。また、電動フラップを動かすための電動機及び開閉のための構造を追加することによるコストアップ、という課題もあった。【００１０】
本発明は、以上のような課題を解決するためになされたもので、電気掃除機の吸込具本体の意匠性を損なうことなく、空中に浮遊する塵埃の吸込み性能を確保しながら、使用者の使い勝手がよい電気掃除機の吸込具を提供することを目的とする。
【課題を解決するための手段】
【００１１】
課題を解決する本発明に係る電気掃除機の吸込具は、吸込具本体と、吸込具本体の下面側に設けられ、被清掃面上の塵埃を吸い込むための第１の吸込口と、吸込具本体に回動自在に連結された継手管と、を備え、継手管に、空中に浮遊する塵埃を吸い込むための第２の吸込口を設けたものである。
【発明の効果】
【００１２】
本発明に係る電気掃除機の吸込具によれば、吸込具本体に取付けられた継手管に、空中に浮遊する塵埃を吸い込むための第２の吸込口を設けたことで、吸込具本体が大きく重くなることもなく、吸込具本体上面の意匠性を損なわずに浮遊塵埃の吸込性能を確保することができる。
【図面の簡単な説明】
【００１３】
【図１】本発明の実施の形態１に係る電気掃除機の吸込具を電気掃除機に接続した状態を示す斜視図である。
【図２】電気掃除機本体を側面方向から見た断面図である。
【図３】（ａ）本発明の実施の形態１に係る電気掃除機の吸込具を上面方向から見た図、（ｂ）本発明の実施の形態１に係る電気掃除機の吸込具を下面方向から見た図である。
【図４】本発明の実施の形態１に係る電気掃除機の吸込具の斜視図である。
【図５】本発明の実施の形態１に係る電気掃除機の吸込具を、吸込具本体と継手管に分離した状態の斜視図である。
【図６】本発明の実施の形態１に係る電気掃除機の吸込具の、吸込具本体から上ケースを外した状態の斜視図である。
【図７】（ａ）本発明の実施の形態１に係る電気掃除機の吸込具の継手管の斜視図、（ｂ）本発明の実施の形態１に係る電気掃除機の吸込具の継手管の回動部から上部部材を分離した状態の斜視図である。
【図８】本発明の実施の形態１に係る電気掃除機の吸込具の、吸込具本体に継手管を連結するためのカバーを外した状態の斜視図である。
【図９】（ａ）図３（ａ）に示すＡ−Ａ断面を側面方向から見た断面図、（ｂ）図８（ａ）の破線で囲まれた部分の要部拡大図である。
【図１０】本発明の実施の形態１に係る電気掃除機の吸込具から回転ブラシを取り外した状態を下面方向から見た図である。
【図１１】本発明の実施の形態１に係る電気掃除機の吸込具の空気の流れを表した模式図である。
【図１２】本発明の実施の形態１に係る電気掃除機の吸込具の継手管を、吸込具本体と平行にした状態を上面方向から見た図である。
【図１３】本発明の実施の形態１に係る電気掃除機の吸込具の継手管を、吸込具本体と平行にした状態の斜視図である。
【発明を実施するための形態】
【００１４】
実施の形態１．
（全体の構成）
図１は本発明の実施の形態１に係る電気掃除機の吸込具を電気掃除機に接続した状態を示す斜視図、図２は電気掃除機本体を側面方向から見た断面図である。図１と図２により、本発明の実施の形態１に係る電気掃除機の吸込具が接続される電気掃除機全体の概略構成を説明する。
【００１５】
図１に示すように、本発明の実施の形態１に係る電気掃除機の吸込具１は延長管２、把持部３、ホース体５を介して電気掃除機本体６と接続されていて、全体として電気掃除機１００が構成される。
【００１６】
電気掃除機本体６の前側には、ホース体５を接続するための接続口７が設けられている。ホース体５を接続口７に接続することで、ホース体５と延長管２及び把持部３を介して接続される吸込具１は、後述する電気掃除機本体６に内包された電動送風機１０が発生させる吸引風により、塵埃を含んだ空気を吸い込むことが可能となる。
【００１７】
また、電気掃除機本体６の上面後方には、ハンドル８が設けられている。これは電気掃除機本体６を持ち運ぶときに使用するためのもので、樹脂素材で形成されている。また、電気掃除機本体６の上面には、前方から後方に傾斜するように集塵部９が着脱自在に取付けられている。
【００１８】
集塵部９は、図２に示す電気掃除機本体６に内包された電動送風機１０が、把持部３に設けられた操作部４からの入力で駆動することにより発生する吸引風によって、吸込具１から吸い込んだ塵埃を含んだ空気から、塵埃と空気を分離して塵埃を捕集、収容するためのものである。
【００１９】
さらに、電気掃除機本体６には電動送風機１０の他、操作部４からの入力で電動送風機１０の駆動、出力増減等を制御するための制御基板１１、電動送風機１０等に電力を供給する図示しない電源コードを収納するためのコードリールも内包される。
【００２０】
電気掃除機本体６の接続口７に一端が接続されるホース体５は、蛇腹のような可撓性を有する軟質管で形成されている。ホース体５のもう一端は、把持部３の一端に接続される。把持部３は吸込具１を操ることと、電気掃除機本体６の取り廻しをするためのものであり、硬質の樹脂素材で形成されている。
【００２１】
把持部３には前述のように操作部４が設けられている。操作部４は図示しない複数の操作スイッチを有し、これら操作スイッチからの入力を受けて制御基板１１が電動送風機１０を駆動させる。駆動した電動送風機１０が吸引風を発生させることにより、塵埃を含んだ空気を吸い込むことが可能となる。
【００２２】
把持部３のもう一端は、延長管２の一端に接続される。延長管２は図示しないが伸縮構造を有しており、掃除をするとき、必要に応じて伸ばして使用することができるようになっていて、把持部３と同様、硬質の樹脂素材で形成されている。
【００２３】
延長管２のもう一端は、吸込具１に接続される。以降、図３から図８により本発明の実施の形態１に係る電気掃除機の吸込具の構成について詳しく説明する。
【００２４】
（吸込具の構成）
図３（ａ）は本発明の実施の形態１に係る電気掃除機の吸込具を上面方向から見た図、図３（ｂ）本発明の実施の形態１に係る電気掃除機の吸込具を下面方向から見た図、図４は本発明の実施の形態１に係る電気掃除機の吸込具の斜視図、図５は本発明の実施の形態１に係る電気掃除機の吸込具を、吸込具本体と継手管に分離した状態の斜視図、図６は本発明の実施の形態１に係る電気掃除機の吸込具の、吸込具本体から上ケースを外した状態の斜視図、図７（ａ）は本発明の実施の形態１に係る電気掃除機の吸込具の継手管の斜視図、図７（ｂ）は本発明の実施の形態１に係る電気掃除機の吸込具の継手管の回動部から上部部材を分離した状態の斜視図、図８は本発明の実施の形態１に係る電気掃除機の吸込具の、吸込具本体に継手管を連結するためのカバーを外した状態の斜視図である。
なお、それぞれの図において、同じ部分または相当する部分には同じ符号を付し、一部の説明を省略する場合がある。
【００２５】
吸込具１は図３〜５に示すように、吸込具本体２１と継手管２２で、アルファベットのＴの字の様に構成されている。吸込具本体２１は、硬質の樹脂素材で形成された下ケース３１、同様に硬質の樹脂素材で形成された上ケース３０、及び硬質の樹脂素材で形成されて意匠性を考慮した外観を有するカバー３２で外郭が構成される。上ケース３０とカバー３２が吸込具本体２１の上面を構成する部材となる。
【００２６】
下ケース３１と上ケース３０の当接部には、軟質の樹脂素材で形成されたダンパー２９がその外周に取付けられている。ダンパー２９は、掃除のときに吸込具１が壁や家具等に当たっても、それらが傷付かないようにするためのものである。
【００２７】
吸込具本体２１の下面側には、下面部開口（第１の吸込口）２５が設けられている。下面部開口（第１の吸込口）２５は、床等の被清掃面から塵埃を吸い込むための開口である。下面部開口（第１の吸込口）２５の内部には空間があり、その空間に回転ブラシ２６が着脱自在に取付けられている。
【００２８】
回転ブラシ２６は、吸込具本体２１に内包され、図６に示す下ケース３１に配置されたモーター３７の発生する回転力がベルト３８に伝達され、さらにプーリー連結軸４０に連結されたプーリー、ベルト３９と伝達されて回転するようになっていて、被清掃面から塵埃を掻き上げることで、より清掃性能を向上させるものである。
【００２９】
吸込具本体２１の下面側には、吸込具本体２１の下面から出没自在のスイッチ２８が設けられている。このスイッチ２８は、回転ブラシ２６を回転させるモーター３７の回転をオン、オフするためのものである。
【００３０】
回転ブラシ２６は被清掃面から塵埃を掻き上げるので、被清掃面に接触していないときに回転させると無駄な電力を消費したり、使用者が触れて危険であったりする。よって、吸込具本体２１が被清掃面から離れるとスイッチ２８は下面から突出してモーター３７がオフし、回転ブラシ２６の回転を停止させ、再び、吸込具本体２１を被清掃面に接触させると、スイッチ２８が没してモーター３７がオンし、回転ブラシ２６の回転を開始するようになっている。
【００３１】
さらに、吸込具本体２１の下面側には、被清掃面をスムーズに移動できるように車輪２７ａ、２７ｂが設けられている。車輪２７ａ、２７ｂには横滑りさせてもよいように、適度な摺動性を持たせている。
【００３２】
図７に示すように継手管２２は回動部２３と接続部２４で構成されている。回動部２３は接続部２４と回動可能に接続されており、この回動の説明は後述する。
【００３３】
継手管２２の回動部２３には継手管開口（第２の吸込口）３４が設けられている。この継手管開口（第２の吸込口）３４は、掃除のときに被清掃面から舞い上がってしまい、吸込具本体２１の下面部開口（第１の吸込口）２５で吸い込めない、空中に浮遊した塵埃を吸い込むためのものである。
【００３４】
回動部２３は、硬質の樹脂素材で形成された上部部材（第１のケース）２３ａと同じく硬質の樹脂素材で形成された下部部材（第２のケース）２３ｂで構成され中空構造となっている。
【００３５】
継手管開口（第２の吸込口）３４は図７（ｂ）に示すように上部部材（第１のケース）２３ａと下部部材（第２のケース）２３ｂが当接する箇所で、上部部材（第１のケース）２３ａの端部を一部切り欠くように設けられていて、上部部材（第１のケース）２３ａと下部部材（第２のケース）２３ｂが当接することで長方形の開口となる。
【００３６】
上部部材（第１のケース）２３ａと下部部材（第２のケース）２３ｂが当接する箇所、上部部材（第１のケース）２３ａの端部を切り欠くようにしたのは、樹脂素材を成形する際の金型を作成しやすくするためである。端部に切り欠き形状を設けることで、金型にスライド構造などを用意する必要がなく、金型の構造が複雑になることがないので、金型がコストアップすることなく作成できる。
【００３７】
なお、本発明の実施の形態１では上部部材（第１のケース）２３ａに切り欠き形状を設けるようにしたが、下部部材（第２のケース）２３ｂの端部を一部切り欠くように設けて継手管開口（第２の吸込口）３４としてもよい。
【００３８】
また、上部部材（第１のケース）２３ａと下部部材（第２のケース）２３ｂの端部それぞれに切り欠き形状を設け、双方を合わせることで継手管開口（第２の吸込口）３４としてもよく、端部に設けることで、本発明の実施の形態１と同様、金型にスライド構造などを用意する必要がなく、金型の構造が複雑になることがないので、金型がコストアップすることなく作成できる。
【００３９】
継手管２２の回動部２３には、図７に示すように回動軸部３３ａと３３ｂが設けられている。回動軸部３３ａと３３ｂは、継手管２２を吸込具本体２１に回動自在に連結するために設けられており、回動軸部３３ａが図５に示す吸込具本体２１の連通口３６ａと、回動軸部３３ｂが、連通口３６ａと対向する面に設けられた仮想線で表す連通口３６ｂと連結される。
【００４０】
回動軸部３３ａと３３ｂは、図８に示すように吸込具本体２１の上ケース３０に設けられた上ケース半円形状部４３ａと上ケース半円形状部４３ｂにそれぞれ収められ、カバー３２を取り付けることで、カバー３２に設けられたカバー半円形状部４２ａと、カバー半円形状部４２ａと対向する面に設けられた仮想線で表すカバー半円形状部４２ｂで挟まれて、回動自在に連結される。
【００４１】
なお、前述した連通口３６ａ及び３６ｂは、上ケース３０とカバー３２が取り付けられたときに、上ケース半円形状部４３ａとカバー半円形状部４２ａ、上ケース半円形状部４３ｂとカバー半円形状部４２ｂがそれぞれ組み合わされた状態を表している。
【００４２】
図７に示すように回動軸部３３ａと３３ｂには、回動軸部を通気可能にするため、それぞれ回動軸部通気口３５ａと３５ｂが設けられている。吸込具１は継手管２２の接続部２４によって、図１に示すように延長管２、把持部３、ホース体５を介して電気掃除機本体６と接続されている。
【００４３】
図１０は本発明の実施の形態１に係る電気掃除機の吸込具１から回転ブラシを取り外した状態を下面方向から見た図であるが、吸込具本体２１の下面部開口（第１の開口）２５の奥に通風口４１ａと４１ｂが設けられている。
【００４４】
通風口４１ａと４１ｂは図６に示すように下ケース３１に形成されており、電気掃除機本体６に内包された電動送風機１０が発生させる吸引風により吸い込まれた塵埃を含んだ空気が、下面部開口（第１の吸込口）２５を経由し通風口４１ａと４１ｂに吸い込まれる。  
【００４５】
（空気の流れの説明）
図１１は本発明の実施の形態１に係る電気掃除機の吸込具の空気の流れを表した模式図であり、前述の内容と図１１で空気の流れを説明する。なお、ここでは、吸込具１は延長管２、把持部３、ホース体５を介して電気掃除機本体６と接続されているものとして説明する。
【００４６】
把持部３に設けられた操作部４からの入力で電動送風機１０の駆動が開始されると、吸引風が発生し、吸込具本体２１の下面部開口（第１の吸込口）２５から塵埃を含んだ空気が吸い込まれる。
【００４７】
吸い込まれた塵埃を含んだ空気は、下ケース３１に形成された通風口４１ａと４１ｂを通過し、上ケース３０とカバー３２で構成され下面部開口（第１の吸込口）２５と連通した、第１の空気の流れが流通する図示しない第１の風路と、第２の空気の流れが流通する図示しない第２の風路を通過する。
【００４８】
第１の風路を通過した第１の空気の流れは、連通口３６ａに連結された継手管２２の回動部２３に設けられた回動軸部３３ａの回動軸部通気口３５ａに流通し、同様に第２の風路を通過した第２の空気の流れは、連通口３６ｂに連結された継手管２２の回動部２３に設けられた回動軸部３３ｂの回動軸部通気口３５ｂに流通する。
【００４９】
その後、第１の空気の流れと第２の空気の流れは、中空構造の回動部２３内で合流する。さらに、第１の空気の流れと第２の空気の流れの合流箇所よりも、電動送風機１０から見て下流に位置する継手管開口（第２の吸込口）３４から吸い込まれる、被清掃面から舞い上がる等して空中に浮遊する塵埃を含んだ空気である第３の空気の流れが合流し、第１と第２及び第３の空気の流れ全てが合流して全体の空気の流れとして電気掃除機本体６に吸引される。
【００５０】
なお、第１の空気の流れと第２の空気の流れが合流する回動部２３内では、図示しないが合流した空気の流れが接続部２４の方向に流れやすくなるよう整流しているので、第１の空気の流れと第２の空気の流れが合流することによって乱流となることがなく、継手管開口（第２の吸込口）３４から吸い込まれる第３の空気の流れが阻害されることはない。
【００５１】
また、第１の空気の流れと第２の空気の流れが合流する回動部２３内では、図示しないが合流した空気の流れが接続部２４の方向に流れやすくなるよう整流しているが、第１の空気の流れと第２の空気の流れは屈曲しており、空気の流れを屈曲させると圧力損失が生じて騒音が発生し易くなる。
【００５２】
しかし、本発明の実施の形態１に係る電気掃除機の吸込具１では、吸込具の上面に第２の吸込口を設けた従来のものと異なり、空気の流れが屈曲して合流し圧力損失が生じる箇所の近くに継手管開口（第２の吸込口）３４を設けているので、継手管開口（第２の吸込口）３４から空気が吸い込まれることにより圧力損失を低減することができ、騒音の発生を抑制できるという、従来の吸込具では実現できない効果を得ることができる。
【００５３】
被清掃面から塵埃が空中に舞い上がりやすい状況は、塵埃が溜まりやすい高さの低い脚付き家具の下や、家具と壁との隙間を掃除するときである。まず、高さの低い脚付き家具の下を掃除するときは、図９（ａ）のように継手管２２を被清掃面により近づけた状態となる。
【００５４】
この状態で、継手管開口（第２の吸込口）３４は進行方向から見える程度の位置に出現するように設けられていて、継手管２２の回動部２３は、吸込具本体２１の上面を構成するカバー３２と所定の空間Ｂを空けて吸込具本体２１と連結されている。
【００５５】
この状態での継手管開口（第２の吸込口）３４とカバー３２との間の所定の空間Ｂは２〜３ｍｍ程度の間隔であるが、所定の空間Ｂに到達するまで継手管２２の回動部２３の外周とカバー３２との間の空間は、図９（ｂ）に示すように徐々に狭くなっている。
【００５６】
しかし、段落００２５に記載したようにカバー３２は意匠性を考慮した外観を有する図９（ｂ）に示すような滑らかな曲面で形成され、継手管２２の回動部２３の外周も凹凸のない曲面で形成されているので、第３の空気の流れである空中に浮遊する塵埃を含んだ空気は、継手管開口（第２の吸込口）３４の位置までスムーズに流れ、確実に吸い込むことができる。
【００５７】
また、継手管２２を、回動部２３に設けられた回動軸部３３ａと３３ｂを回転軸にして図９（ａ）に示す回転方向Ｃに持ち上げ、図１のような通常の掃除の形態となったときは、継手管開口（第２の吸込口）３４は、図９（ｂ）に破線で示した回動後の継手管開口（第２の吸込口）３４のように進行方向から見えない位置まで回動する。
【００５８】
この状態でも、継手管２２の回動部２３は、吸込具本体２１の上面を構成する上ケース３０と所定の空間Ｂが空いており、前述のように意匠性を考慮した外観を有する滑らかな曲面で形成されたカバー３２が、回動後の継手管開口（第２の吸込口）３４の直前の位置まで延びているので、第３の空気の流れである空中に浮遊する塵埃を含んだ空気は、回動後の継手管開口（第２の吸込口）３４の位置までスムーズに流れ、確実に吸い込むことができる。
【００５９】
よって、回動軸部３３ａと連通口３６ａ、回動軸部３３ｂと連通口３６ｂが回動する箇所周辺に塵埃が留まり難くなるので、回動する箇所に塵埃が入り込むことが少なくなり、回動が重くなる等の不具合が起こり難く、回動性能が維持し易くなる。
【００６０】
次に、家具と壁との隙間を掃除するときは、回動部２３を図９（ａ）に示す回転方向Ｃに最大回動できる位置まで回動させて、図１２、図１３に示すように接続部２４が吸込具本体２１と平行になるように、接続部２４と回動部２３を回動可能に接続する回動部４４で回動させ、アルファベットのＩの字の様な状態として、吸込具１を隙間掃除のときの進行方向へ動かす様になる。
【００６１】
なお、図１２に示す隙間掃除のときの進行方向は、接続部２４を図１２に示す向きに回動させた例で説明しているが、接続部２４を図１２に示す方向と逆向きに回動させれば、吸込具１の隙間掃除のときの進行方向は、図１２に示す方向と１８０度逆の方向となる。
【００６２】
図１２は吸込具１を上面方向から見ているが、アルファベットのＩの字の様な状態にすると、継手管開口（第２の吸込口）３４は上面方向から見える位置にはないので破線で示している。
【００６３】
上面方向からは見えないが、図１３に示すように、継手管開口（第２の吸込口）３４は図９に示す進行方向（アルファベットのＴの字の様にしたときの進行方向）の反対側に出現するようになっている。
【００６４】
よって、継手管開口（第２の吸込口）３４は、吸込具本体２１の上面を構成する上ケース３０との所定の空間から開放された位置にあるので、家具と壁との隙間を掃除するときに被清掃面から舞い上がり空中に浮遊した塵埃を含んだ空気を、より確実に吸い込むことができる。
【００６５】
以上のように本発明の実施の形態１に係る電気掃除機の吸込具によれば、吸込具本体に回動自在に連結された継手管に、空中に浮遊する塵埃を吸い込むための第２の吸込口を設けたので、不要な吸込口開閉のための機構を設ける必要がなく吸込具本体の外形が大きくなったり、重量が重くなったりすることがないので、吸込具の取り回しが悪くなることがないので使用者の使い勝手がよく、吸込具本体の意匠性を損なうことなく浮遊塵埃の吸込性能を確保できる。
【００６６】
また、空気の流れが屈曲して合流し圧力損失が生じる箇所の近くに第２の吸込口を設けているので、第２の吸込口から空気が吸い込まれることにより圧力損失を低減することができ、騒音の発生を抑制できる。
【００６７】
さらに、第２の吸込口が設けられた回動部は、吸込具本体の上面と所定の空間が空いているので、空中に浮遊する塵埃を含んだ空気を第２の吸込口から確実に吸い込むことができ、継手管が回動する箇所周辺に塵埃が留まり難くなり、回動する箇所に塵埃が入り込むことが少なくなることで回動が重くなる等の不具合が起こり難く回動性能が維持できる。
【００６８】
それから、吸込具１をアルファベットのＩの字の様にしたときに継手管開口（第２の吸込口）３４は、吸込具本体２１の上面を構成する上ケース３０との所定の空間から開放された位置にくるようにしたので、家具と壁との隙間を掃除するときに被清掃面から舞い上がり空中に浮遊した塵埃を含んだ空気を、より確実に吸い込むことができ、清掃性能が向上する。
【産業上の利用可能性】
【００６９】
以上のように、この発明に係る床面吸込具は、吸込具本体上面の意匠性を損なわずに浮遊塵埃の吸込性能を確保するシステムに利用できる。
【符号の説明】
【００７０】
Ｂ  空間、  Ｃ  回転方向、  １  吸込具、  ２  延長管、  ３  把持部、  ４  操作部、  ５  ホース体、  ６  電気掃除機本体、  ７  接続口、  ８  ハンドル、  ９  集塵部、  １０  電動送風機、  １１  制御基板、  ２１  吸込具本体、  ２２  継手管、  ２３  回動部、  ２３ａ  上部部材（第１のケース）、  ２３ｂ  下部部材（第２のケース）、  ２４  接続部、  ２５  下面部開口（第１の吸込口）、  ２６  回転ブラシ、  ２７ａ  車輪、  ２７ｂ  車輪、  ２８  スイッチ、  ２９  ダンパー、  ３０  上ケース、  ３１  下ケース、  ３２  カバー、  ３３ａ  回動軸部、  ３３ｂ  回動軸部、  ３４  継手管開口（第２の吸込口）、  ３５ａ  回動軸部通気口、  ３５ｂ  回動軸部通気口、  ３６ａ  連通口、  ３６ｂ  連通口、  ３７  モーター、  ３８  ベルト、  ３９  ベルト、  ４０  プーリー連結軸、  ４１ａ  通風口、  ４１ｂ  通風口、  ４２ａ  カバー半円形状部、  ４２ｂ  カバー半円形状部、  ４３ａ  上ケース半円形状部、  ４３ｂ  上ケース半円形状部、  ４４  回動部、  １００  電気掃除機
【図１】
2015118940.tif 000003
【図２】
2015118940.tif 000004
【図３】
2015118940.tif 000005
【図４】
2015118940.tif 000006
【図５】
2015118940.tif 000007
【図６】
2015118940.tif 000008
【図７】
2015118940.tif 000009
【図８】
2015118940.tif 000010
【図９】
2015118940.tif 000011
【図１０】
2015118940.tif 000012
【図１１】
2015118940.tif 000013
【図１２】
2015118940.tif 000014
【図１３】
2015118940.tif 000015
【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
吸込具本体と、
該吸込具本体の下面側に設けられ、被清掃面上の塵埃を吸い込むための第１の吸込口と、
前記吸込具本体に回動自在に連結された継手管と、を備え、
前記継手管に、空中に浮遊する塵埃を吸い込むための第２の吸込口を設け、
前記継手管を前記吸込具本体に回動自在に連結するための回動部は、通気可能な中空構造で第１のケースと第２のケースから成り、前記第２の吸込口を、前記第１のケースあるいは前記第２のケースの何れか一方に設けたことを特徴とする電気掃除機の吸込具。
【請求項２】
前記第２の吸込口を、前記継手管の前記回動部を組み立てた状態で、前記第１のケースと前記第２のケースの端部が当接する箇所に設けたことを特徴とする請求項１に記載の電気掃除機の吸込具。
【請求項３】
吸込具本体と、
該吸込具本体の下面側に設けられ、被清掃面上の塵埃を吸い込むための第１の吸込口と、
前記吸込具本体に回動自在に連結された継手管と、を備え、
前記継手管に、空中に浮遊する塵埃を吸い込むための第２の吸込口を設け、
前記継手管を前記吸込具本体に回動自在に連結するための回動部は、通気可能な中空構造で第１のケースと第２のケースから成り、前記第２の吸込口は、前記継手管の前記回動部を組み立てた状態で、前記第１のケースと前記第２のケースの端部が当接する箇所で、前記第１のケースと前記第２のケースそれぞれに設けられた切り欠き形状により形成されることを特徴とする電気掃除機の吸込具。
【請求項４】
前記継手管を前記吸込具本体に連結したとき、前記吸込具本体の上面と前記継手管の回動部は、所定の空間を確保して連結されていることを特徴とする請求項１から請求項３のいずれか１項に記載の電気掃除機の吸込具。
【請求項５】
前記吸込具本体は、前記第１の吸込口と連通する第１の風路及び第２の風路を備え、
前記第１の風路及び前記第２の風路は、前記継手管の前記回動部に設けられた通気可能な回動軸部とそれぞれ連通しており、前記第２の吸込口を、前記継手管の前記第１の風路及び前記第２の風路が合流する箇所の近傍に設けたことを特徴とする請求項１から請求項４のいずれか１項に記載の電気掃除機の吸込具。
【請求項６】
前記第２の吸込口は、前記継手管の前記回動部に設けられた前記回動軸部の近傍に設けたことを特徴とする請求項５に記載の電気掃除機の吸込具。
【請求項７】
塵埃を吸い込むための吸引風を発生させる電動送風機と、
前記塵埃を収容するための集塵部を設けた掃除機本体と、
前記掃除機本体に接続されたホース体と、
前記ホース体に連結された取り回しのための把持部と、
前記把持部近傍に設けられ、前記電動送風機の切入及び強弱を操作する操作部と、
前記把持部に接続された延長管と、を備え、
請求項１から請求項６のいずれか１項に記載の電気掃除機の吸込具を備えたことを特徴とする電気掃除機。
【手続補正２】
【補正対象書類名】明細書
【補正対象項目名】００１１
【補正方法】変更
【補正の内容】
【００１１】
課題を解決する本発明に係る電気掃除機の吸込具は、吸込具本体と、吸込具本体の下面側に設けられ、被清掃面上の塵埃を吸い込むための第１の吸込口と、吸込具本体に回動自在に連結された継手管と、を備え、継手管に、空中に浮遊する塵埃を吸い込むための第２の吸込口を設け、継手管を吸込具本体に回動自在に連結するための回動部は、通気可能な中空構造で第１のケースと第２のケースから成り、第２の吸込口を、第１のケースあるいは第２のケースの何れか一方に設けたものである。
課題を解決する本発明に係る電気掃除機の吸込具は、吸込具本体と、該吸込具本体の下面側に設けられ、被清掃面上の塵埃を吸い込むための第１の吸込口と、前記吸込具本体に回動自在に連結された継手管と、を備え、前記継手管に、空中に浮遊する塵埃を吸い込むための第２の吸込口を設け、前記継手管を前記吸込具本体に回動自在に連結するための回動部は、通気可能な中空構造で第１のケースと第２のケースから成り、前記第２の吸込口は、前記継手管の前記回動部を組み立てた状態で、前記第１のケースと前記第２のケースの端部が当接する箇所で、前記第１のケースと前記第２のケースそれぞれに設けられた切り欠き形状により形成されるものである。
【国際調査報告】
2015118940.tif 000016
2015118940.tif 000017
2015118940.tif 000018
2015118940.tif 000019